(57)【特許請求の範囲】
【請求項１】
所定の設置体の下面側に位置するとともに、多数の穴が形成されて当該穴より締結具が床面に打ち込み可能に設けられたパンチングメタルと、このパンチングメタルから立設された支持体と、当該支持体と前記設置体との間に設けられる連結手段とを備え、
前記支持体は、パンチングメタルの左右両側における前後方向に沿ってそれぞれ延在する設置パイプ部と、この設置パイプ部の後端から略垂直上方向へそれぞれ立設されるとともに、設置体の背面側上部位置まで達する起立パイプ部と、これら起立パイプ部の上端間を相互に連結する連結パイプ部とにより構成され、
前記連結手段は、支持体の少なくとも上部二箇所に設けられたブラケットを備えていることを特徴とする設置体の転倒防止装置。
【発明の詳細な説明】
【０００１】
【発明の属する技術分野】
本発明は設置体の転倒防止装置に係り、更に詳しくは、アップライトピアノ、電子オルガン等、各種設置体の転倒を防止するための転倒防止装置に関する。
【０００２】
【従来の技術】
従来より、アップライト型のピアノ、電子オルガン等の設置体については、その背面側に適宜な連結構造を設けて転倒防止がなされている。
【０００３】
この種の転倒防止構造としては、例えば、実開昭５５−２０５１９号公報に示されるように、ピアノが載置可能となる受け台を設けるとともに、この受け台とピアノの背面側下部との間に相互に係合可能な一対の連結具を設けてピアノの転倒防止を図ったものが知られている。また、実開昭５６−５９３９３号公報には、ピアノの上部背面側に金具を設けるとともに、これに相対する壁面部分に金具を設け、これらの各金具をボルトを介して相互に連結する設置体の転倒防止を図る構成が示されている。
【０００４】
【発明が解決しようとする課題】
しかしながら、実開昭５５−２０５１９号公報に示された転倒防止装置にあっては、ピアノの固定が底部側のみによって行われるものであり、強大な揺れに対しては十分な強度を発揮できないという問題がある他、大きな振動時に受け台が床面上を滑って動いてしまう場合も回避し得ない。また、実開昭５６−５９３９３号公報に示された転倒防止装置にあっては、壁面に固定された金具の固定強度が当該壁面の特定部分となり、壁面の強度に依存した転倒防止装置となり、信頼性のある転倒防止を達成できるものではない。
【０００５】
【課題を解決するための手段】
本発明は前述の問題を解消するため、設置体の下面側で受け台を床面に固定可能とし、且つ、受け台に支持体を設けて当該支持体と設置体とを相互に連結して設置体の転倒防止を図るようにしたものである。
【０００６】
【発明の実施の形態】
本発明に係る設置体の転倒防止装置は、所定の設置体の下面側に位置するとともに、多数の穴が形成されて当該穴より締結具が床面に打ち込み可能に設けられた受け台と、この受け台から立設された支持体と、当該支持体と前記設置体との間に設けられる連結手段とを備える、という構成を採っている。ここにおいて、連結手段は支持体の少なくとも上部二箇所に設けられたブラケットと、このブラケットに支持された結束部材とを備え、当該結束部材は設置体の背面側部分に掛け回し可能に設けられる構成を採用することができる。また、前記連結手段は、支持体の少なくとも上部二箇所に設けられたブラケットと、このブラケットを前記設置体の背面側に固定するボルトとにより構成することができる。
また、本発明は、所定の設置体の下面側に位置するとともに、多数の穴が形成されて当該穴より締結具が床面に打ち込み可能に設けられたパンチングメタルと、このパンチングメタルから立設された支持体と、当該支持体と前記設置体との間に設けられる連結手段とを備え、
前記支持体は、パンチングメタルの左右両側における前後方向に沿ってそれぞれ延在する設置パイプ部と、この設置パイプ部の後端から略垂直上方向へそれぞれ立設されるとともに、設置体の背面側上部位置まで達する起立パイプ部と、これら起立パイプ部の上端間を相互に連結する連結パイプ部とにより構成され、
前記連結手段は、支持体の少なくとも上部二箇所に設けられたブラケットを備える、という構成も採用される。
【０００７】
また、本発明に係る設置体の転倒防止装置は、所定の設置体の下面側に位置するとともに、複数の穴が形成されて当該穴より締結具が床面に打ち込み可能に設けられたパンチングメタルと、このパンチングメタルから立設されて前記設置体の背面側に位置するパイプと、このパイプの少なくとも上部二箇所と前記設置体の上部二箇所との間に設けられる連結手段とを備える、という構成を採っている。パンチングメタルに設けられた多数の穴を通じて釘又はボルト等の締結具を床面側に打ち込み又はねじ込むことで、受け台が移動不能に固定される。従って、受け台から立設されたパイプと設置体との両者を連結したときに当該設置体の転倒が効果的に防止されることとなる。ここで、パイプはパンチングメタルに対して、溶接或いはねじ止め等によって固定することができる。
【０００８】
更に、本発明は、所定の設置体の下面側に位置するとともに、複数の穴が形成されて当該穴より締結具が床面に打ち込み可能に設けられたパンチングメタルと、このパンチングメタルから立設されて前記設置体の背面側に位置するパイプと、このパイプの少なくとも上部二箇所に設けられたブラケットと、このブラケットに支持された結束部材とを備え、前記結束部材が設置体の背面側部分に掛け回し可能に設けられる、という構成も採用されている。この構成によれば、結束部材の掛け回しによってパイプと設置体との両者連結が行えるため、簡易且つ迅速なる連結作業が達成される他、その連結解除も難なく行うことが可能となる。
【０００９】
【実施例】
以下、本発明に係る設置体の転倒防止装置の実施例を図面を参照しながら説明する。
【００１０】
図１ないし図４には本発明に係る設置体の転倒防止装置の第１実施例が示されている。これらの図において、転倒防止装置は受け台としてのパンチングメタル１０と、この受け台１０の上面から立設された支持体としてのパイプ１１と、このパイプ１１に設けられた連結手段１２とを備えて構成されている。
【００１１】
前記パンチングメタル１０は、多数の穴２０を備えているとともに、これらの穴２０に挿通可能な締結具としての複数の釘又はボルト２１が床面Ｆを通じて根太２３及び又は大引き２４に打ち込み若しくはねじ込み可能とされ、これによってパンチングメタル１０が床面Ｆに固定可能となっている。このパンチングメタル１０は、設置体を構成するアップライト型のピアノ１５の下面側に位置されるとともに、ピアノ１５の底壁１５Ａに固定されたキャスター２５に干渉しない大きさとなる平面積となっている。
【００１２】
前記支持体としてのパイプ１１は一本の中空な角パイプによって構成されている。このパイプ１１は、受け台１０の左右両側における前後方向に沿ってそれぞれ延在する設置パイプ部１１Ａと、この設置パイプ部１１Ａの後端から略垂直上方向へそれぞれ立設されるとともに、ピアノ１５の背面側上部位置まで達する起立パイプ部１１Ｂと、これら起立パイプ部１１Ｂの上端間を相互に連結する連結パイプ部１１Ｃとにより構成されている。パイプ１１とパンチングメタル１０との相互連結は、本実施例では、溶接によって行われているが、ボルト及びナット等を用いた相互連結方式も採用することができる。また、パイプ１１は、複数本を用い、これらを相互に溶接、ねじ連結等することによって組み立てることも可能である。
【００１３】
前記連結手段１２は、図１に示されるように、各起立パイプ部１１Ｂの上下二箇所にそれぞれ固定されたブラケット３０と、このブラケット３０と起立パイプ部１１Ｂとの間の隙間に挿通されたベルト等からなる結束部材３２とにより構成されている。各ブラケット３０は側面形状が皿状をなすように形成されており、その外縁側部分に穴３３（図４参照）が形成されている。そして、ブラケット３０は、各穴３３に挿通されるボルト３５を起立パイプ部１１Ｂ側にねじ込むことによって固定される。なお、前記結束部材３２の一端側にはバックル３６が装着されており、このバックル３６には結束部材３２の他端側が挿通可能となっている。
【００１４】
前記ピアノ１５の背面側において、起立パイプ部１１Ｂに固定されたブラケット３０の近傍位置には、当該ブラケット３０と略同一の構造からなるブラケット４０がボルト４１を介して固定され、このブラケット４０とピアノ１５の背面との間の隙間に結束部材３２が挿通可能となっている。
【００１５】
以上の構成において、ピアノ１５の転倒防止を行うに際しては、初期作業として、起立パイプ部１１Ｂに固定されたブラケット３０に結束部材３２を挿通しておく。
【００１６】
そして、ピアノ１５を設置すべき床面Ｆ上にパンチングメタル１０を固定する。この固定は、前述のように、複数の釘又はボルト２１を用いて行うことができる。この際、釘又はボルト２１を根太２３及び又は大引き２４に達する位置まで打ち込み又はねじ込むことによって、パンチングメタル１０を確実に固定することができる。
【００１７】
このようにして固定されたパンチングメタル１０を左右から跨ぐような態様で、ピアノ１５を移動させる。この移動は、ピアノ１５の底壁１５Ａに固定されたキャスター２５の存在下で極めてスムースに行われる。そして、ピアノ１５を、その背面側が前記起立パイプ部１１Ｂの前端面に略当接する位置まで押し寄せる。この状態で、結束部材３２をピアノ１５の背面側に固定されたブラケット４０内に挿通した後、結束部材３２の一端側をバックル３６に挿通して緩みなく締め上げればよい。係る作業を各連結位置において全て行うことによってピアノ１５の固定を完了する。
【００１８】
従って、前記実施例によれば、パンチングメタル１０を床面Ｆの下に存在する根太２３及び又は大引き２４に固定する方式を採用したから、当該パンチングメタル１０を広い面積にて確実に固定できるという効果を得る。また、この固定態様は、壁面固定に比べて安定的に行うことができ、強度的にも十分な信頼性を確保することができる。
【００１９】
更に、ピアノ１５を連結するための支持体として角型のパイプ１１を採用するとともに、このパイプ１１の設置パイプ部１１Ａをパンチングメタル１０の前後方向に沿わせて当該パンチングメタル１０に溶接したから、片持ち構造としても十分な剛性を付与することが可能となる。従って、各連結手段１２でピアノ１５の背面側と起立パイプ部１１Ｂとを連結することで十分な転倒防止効果を図ることができる。加えて、連結手段１２は、合計四箇所に分散配置したから、これらの各連結手段１２が振動時の負荷を分散し得るため、負荷の一部集中に伴いがちな破損等も有効に回避可能となる。
【００２０】
また、前記転倒防止手段はピアノ１５の下面及び背面に隠れる構造としたから、外観上の体裁も良好に保つことができる。
【００２１】
次に、本発明の第２実施例を図５及び図６を参照しながら説明する。なお、以下の説明において、前記第１実施例と同一若しくは同等の部分については同一符合を用いるものとし、説明を省略若しくは簡略にする。
【００２２】
この実施例は、前述した連結手段１２の一部を構成する結束部材３２に代え、単一のブラケット５０と、これを固定するボルト５１とを連結手段１２として構成したところを特徴とするものである。具体的には、ブラケット５０は側面形状がＬ型に設けられており、このＬ字の一片が起立パイプ部１１Ｂに溶接されており、他方の片がピアノ１５の背面側に当接されてボルト５１で固定されたものである。
【００２３】
この第２実施例においても、ピアノ１５の設置位置に固定されているパンチングメタル１０を左右から跨ぐようにして起立パイプ部１１Ｂの前端面に押し寄せる。そして、ピアノ１５の背面側に手を延ばしてボルト５１でブラケット５０の他方の片とピアノ１５の背面側とを相互に連結すればよい。
【００２４】
従って、このような第２実施例によっても前記第１実施例と同様の効果を得る他、部品点数を確実に減少できるという別途の効果が付加される。
【００２５】
なお、前記実施例においては、受け台としてパンチングメタル１０を採用したが、一定の厚みと強度が確保できる限り木材プレート等を採用してもよい。また、支持体はパイプ１１の他、中実のロッド部材等に代替することもできる。更に、結束部材３２はベルトの他、一般的な紐、ワイヤ、ロープ等種々のものが採用できる。また、連結手段１２はピアノ１５の背面側における四箇所に設ける構成としたが、少なくとも上部二箇所に設ければ足りる。
【００２６】
更に、前記実施例においては、ピアノ１５の転倒防止について説明したが、本発明は、電子オルガンの他、種々の縦長の構造体の転倒防止装置として適用することが可能である。
【００２７】
【発明の効果】
本発明は以上のように構成され、且つ、作用するので、これによると、支持体を備えた受け台が床面に対して広範囲にて固定されているため、地震等による振動が設置体に与えられることがあっても、転倒に耐え得る十分な強度若しくは信頼性を付与することが可能になる、という従来にない優れた効果を奏する設置体の転倒防止装置を提供することができる。
【図面の簡単な説明】
【図１】  第１の実施例に係る転倒防止装置をピアノの背面側から見た図である。
【図２】  図１の右側面図である。
【図３】  前記実施例における転倒防止装置の概略斜視図である。
【図４】  前記実施例に用いられるブラケットの説明図である。
【図５】  第２の実施例に係る転倒防止装置をピアノの背面側から見た図である。
【図６】  図５の右側面図である。
【符号の説明】
１０・・・受け台としてのパンチングメタル、１１・・・支持体としてのパイプ、１２・・・連結手段、１５・・・設置体としてのピアノ、２１・・・締結具としての釘又はボルト、３０・・・連結手段を構成するブラケット、３２・・・連結手段を構成する結束部材、５０・・・連結手段を構成するブラケット、５１・・・連結手段を構成するボルト、Ｆ・・・床面
【図１】
0003772370.tif 000002
【図２】
0003772370.tif 000003
【図３】
0003772370.tif 000004
【図４】
0003772370.tif 000005
【図５】
0003772370.tif 000006
【図６】
0003772370.tif 000007